【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
物体側から順に、負屈折力のレンズ群、正屈折力のレンズ群、を備える結像光学系であって、  
前記負屈折力のレンズ群は、物体側から順に、負レンズである第１レンズ、負レンズである第２レンズ、負レンズである第３レンズを有し、前記正屈折力のレンズ群は、物体側から順に、正レンズである第４レンズ、負レンズである第５レンズ、正レンズである第６レンズ、正レンズである第７レンズを有し、
前記第３レンズが両凹負レンズであることを特徴とする結像光学系。
【請求項２】
物体側から順に、負屈折力のレンズ群、正屈折力のレンズ群、を備える結像光学系であって、  
前記負屈折力のレンズ群は、物体側から順に、負レンズである第１レンズ、負レンズである第２レンズ、負レンズである第３レンズを有し、前記正屈折力のレンズ群は、物体側から順に、正レンズである第４レンズ、負レンズである第５レンズ、正レンズである第６レンズ、正レンズである第７レンズを有し、
前記第５レンズと前記第６レンズとの合成焦点距離が正であることを特徴とする結像光学系。  
【請求項３】
物体側から順に、負屈折力のレンズ群、正屈折力のレンズ群、を備える結像光学系であって、  
前記負屈折力のレンズ群は、物体側から順に、負レンズである第１レンズ、負レンズである第２レンズ、負レンズである第３レンズを有し、前記正屈折力のレンズ群は、物体側から順に、正レンズである第４レンズ、負レンズである第５レンズ、正レンズである第６レンズ、正レンズである第７レンズを有し、
前記第４レンズと前記第５レンズとの間に明るさ絞りを配置し、
以下の条件式（１）を満たすことを特徴とする結像光学系。
０．３＜ｄ４Ｓ／Ｉｈ＜２．５                               （１）
ただし、
ｄ４Ｓ：第４レンズの像側の面から明るさ絞りまでの軸上間隔
Ｉｈ ：最大像高
である。
【請求項４】
物体側から順に、負屈折力のレンズ群、正屈折力のレンズ群、を備える結像光学系であって、  
前記負屈折力のレンズ群は、物体側から順に、負レンズである第１レンズ、負レンズである第２レンズ、負レンズである第３レンズを有し、前記正屈折力のレンズ群は、物体側から順に、正レンズである第４レンズ、負レンズである第５レンズ、正レンズである第６レンズ、正レンズである第７レンズを有し、
以下の条件式（２）を満たすことを特徴とする結像光学系。
−０．７＜ｆＮ／ｆＰ＜−０．０５                          （２）
ただし、
ｆＮ ：負屈折力のレンズ群の合成焦点距離
ｆＰ ：正屈折力のレンズ群の合成焦点距離
である。
【請求項５】
前記７枚のレンズのみで構成されていることを特徴とする請求項１乃至４のいずれか１項に記載の結像光学系。
【請求項６】
前記第３レンズが両凹負レンズであり、以下の条件式を満たすことを特徴とする請求項１乃至４のいずれか１項に記載の結像光学系。
２≦｜ｒ３ｆ／ｆ｜≦１００                                 （３）
ただし、
ｒ３ｆ：第３レンズの物体側の面の近軸曲率半径  
ｆ ：結像光学系全系の焦点距離  
である。
【請求項７】
以下の条件式を満たすことを特徴とする請求項１乃至４のいずれか１項に記載の結像光学系。 
１≦ｆ５６／ｆ≦５０                                       （４）
ただし、
ｆ５６：第５レンズと第６レンズとの合成焦点距離
ｆ ：結像光学系全系の焦点距離
である。
【請求項８】
以下の条件式を満たすことを特徴とする請求項１乃至４のいずれか１項に記載の結像光学系。  
０．３≦ｆ１／ｆ２≦１．７                                 （５）
ただし、
ｆ１ ：第１レンズの焦点距離
ｆ２ ：第２レンズの焦点距離
である。
【請求項９】
以下の条件式を満たすことを特徴とする請求項１乃至４のいずれか１項に記載の結像光学系。 
−５≦ｆ３／Ｉｈ≦−１                                     （６）
ただし
ｆ３ ：第３レンズの焦点距離
Ｉｈ ：最大像高
である。
【請求項１０】
以下の条件式を満たすことを特徴とする請求項１乃至４のいずれか１項に記載の結像光学系。
−０．７≦ｆＮ／ｆ４≦−０．１                             （７）
ただし、
ｆＮ ：負屈折力のレンズ群の合成焦点距離
ｆ４ ：第４レンズの焦点距離
である。
【請求項１１】
以下の条件式を満たすことを特徴とする請求項１乃至４のいずれか１項に記載の結像光学系。 
−０．５≦ｆ／ｒ５ｆ≦１                                   （８）
ただし、
ｆ ：結像光学系全系の焦点距離  
ｒ５ｆ：第５レンズの物体側の面の近軸曲率半径
である。
【請求項１２】
以下の条件式を満たすことを特徴とする請求項１乃至４のいずれか１項に記載の結像光学系。 
３≦ｆ７／Ｉｈ≦１５                                       （９）
ただし、
ｆ７ ：第７レンズの焦点距離
Ｉｈ ：最大像高
である。
【請求項１３】
前記第４レンズと前記第５レンズとの間に明るさ絞りを配置したことを特徴とする請求項１、２又は４のいずれか１項に記載の結像光学系。
【請求項１４】
前記第５レンズと前記第６レンズとが接合しており、前記第５レンズと前記第６レンズの間の接合面が負屈折力を有していて、前記第５レンズのアッベ数が前記第６レンズのアッベ数よりも小さいことを特徴とする請求項１乃至４のいずれか１項に記載の結像光学系。
【請求項１５】
レンズ成分が、光軸付近で入射側の面と射出側の面のみが空気と接触し、その間に空間を持たないレンズ、即ち単レンズまたは接合レンズであると定義したとき、物体側から順に、第１レンズ、空間、第２レンズ、空間、第３レンズ、空間、第４レンズ、空間、第５レンズと第６レンズとの接合レンズ、空間、第７レンズの６つのレンズ成分、又は、物体側から順に、第１レンズ、空間、第２レンズ、空間、第３レンズと第４レンズとの接合レンズ、空間、第５レンズと第６レンズとの接合レンズ、空間、第７レンズの５つのレンズ成分からなることを特徴とする請求項１乃至４のいずれか１項に記載の結像光学系。
【請求項１６】
前記第３レンズが両凹負レンズであることを特徴とする請求項２乃至４のいずれか１項に記載の結像光学系。
【請求項１７】
前記第５レンズと前記第６レンズとの合成焦点距離が正であることを特徴とする請求項１、３又は４のいずれか１項に記載の結像光学系。
【請求項１８】
前記結像光学系の最大半画角が、以下の条件式を満たすことを特徴とする請求項１乃至４のいずれか１項に記載の結像光学系。  
８０°≦ω≦１０５°                                     （１０）
ただし、
ω ：結像光学系の最大半画角
である。
【請求項１９】
前記第４レンズと前記第５レンズとの間に明るさ絞りを配し、以下の条件式を満たすことを特徴とする請求項１、２又は４のいずれか１項に記載の結像光学系。
０．３≦ｄ４Ｓ／Ｉｈ≦２．５                             （１）  
ただし、
ｄ４Ｓ：第４レンズの像側の面から明るさ絞りまでの軸上間隔
Ｉｈ ：最大像高
である。
【請求項２０】
以下の条件式を満たすことを特徴とする請求項１乃至３のいずれか１項に記載の結像光学系。 
−０．７≦ｆＮ／ｆＰ≦−０．０５                         （２）
ただし、
ｆＮ ：負屈折力のレンズ群の合成焦点距離  
ｆＰ ：正屈折力のレンズ群の合成焦点距離  
である。
【請求項２１】
前記第３レンズと前記第４レンズとが接合されていることを特徴とする請求項１乃至４のいずれか１項に記載の結像光学系。
【請求項２２】
前記７枚のレンズのみで構成されていることを特徴とする請求項６乃至２１のいずれか１項に記載の結像光学系。
【請求項２３】
前記第１レンズは、物体側に凸面を向けた負メニスカスレンズであり、
前記第２レンズは、物体側に凸面を向けた負メニスカスレンズであり、
前記第３レンズは、物体側の面の近軸曲率半径絶対値よりも像側の面の近軸曲率半径絶対値が小さい負レンズであり、  
前記第４レンズは、両凸正レンズであり、  
前記第５レンズは、物体側の面の近軸曲率半径絶対値よりも像側の面の近軸曲率半径絶対値が小さい負レンズであり、
前記第６レンズは、第５レンズに接合された両凸正レンズであり、
前記第７レンズは、物体側の面が凸面の正レンズであり、
前記第４レンズと前記第５レンズとの間に明るさ絞りを有することを特徴とする請求項１乃至２２のいずれか１項に記載の結像光学系。
【請求項２４】
物体側から順に、負レンズである第１レンズ、負レンズである第２レンズ、負レンズである第３レンズ、正レンズである第４レンズ、負レンズである第５レンズ、正レンズである第６レンズ、正レンズである第７レンズを有し、前記第３レンズと前記第４レンズとが接合されていることを特徴とする請求項１乃至２３のいずれか１項に記載の結像光学系。
【請求項２５】
請求項１乃至２４のいずれか１項に記載の結像光学系と、
前記結像光学系の像側に受光面が配置され、且つ、前記結像光学系により該受光面上に形成された光学像を電気信号に変換する電子撮像素子と、を備えたことを特徴とする撮像装置。
【手続補正２】
【補正対象書類名】明細書
【補正対象項目名】発明の名称
【補正方法】変更
【補正の内容】
【発明の名称】結像光学系およびそれを備えた撮像装置
【手続補正３】
【補正対象書類名】明細書
【補正対象項目名】００１０
【補正方法】変更
【補正の内容】
【００１０】
また、上記の本発明の結像光学系は、７枚のレンズのみで構成されていることが望ましい。
また、上記の目的を達成するために、本発明による結像光学系は、前記第３レンズが両凹負レンズであり、以下の条件式（３）を満たすように構成する。  
２≦｜ｒ３ｆ／ｆ｜≦１００                                 （３）
ただし、
ｒ３ｆ：第３レンズの物体側の面の近軸曲率半径
ｆ  ：結像光学系全系の焦点距離
である。
また、上記の目的を達成するために、本発明による結像光学系は、以下の条件式（４）を満たすように構成する。
１≦ｆ５６／ｆ≦５０                                      （４）
ただし、
ｆ５６：第５レンズと第６レンズとの合成焦点距離  
ｆ  ：結像光学系全系の焦点距離  
である。
また、上記の目的を達成するために、本発明による結像光学系は、以下の条件式（５）を満たすように構成する。
０．３≦ｆ１／ｆ２≦１．７                                （５）
ただし、  
ｆ１ ：第１レンズの焦点距離  
ｆ２ ：第２レンズの焦点距離  
である。
また、上記の目的を達成するために、本発明による結像光学系は、以下の条件式（６）を満たすように構成する。  
−５≦ｆ３／Ｉｈ≦−１                                    （６）
ただし、  
ｆ３ ：第３レンズの焦点距離
Ｉｈ ：最大像高  
である。
また、上記の目的を達成するために、本発明による結像光学系は、以下の条件式（７）を満たすように構成する。  
−０．７≦ｆＮ／ｆ４≦−０．１                            （７）
ただし、
ｆＮ ：負屈折力のレンズ群の合成焦点距離
ｆ４ ：第４レンズの焦点距離
である。
また、上記の目的を達成するために、本発明による結像光学系は、以下の条件式（８）を満たすように構成する。  
−０．５≦ｆ／ｒ５ｆ≦１                                  （８）
ただし、
ｆ ：結像光学系全系の焦点距離  
ｒ５ｆ：第５レンズの物体側の面の近軸曲率半径
である。
また、上記の目的を達成するために、本発明による結像光学系は、以下の条件式（９）を満たすように構成する。
３≦ｆ７／Ｉｈ≦１５                                      （９）
ただし、
ｆ７ ：第７レンズの焦点距離
Ｉｈ ：最大像高
である。
また、上記の目的を達成するために、本発明による結像光学系は、前記第４レンズと前記第５レンズとの間に明るさ絞りを配置して構成する。
また、上記の目的を達成するために、本発明による結像光学系は、前記第５レンズと前記第６レンズとが接合しており、前記第５レンズと前記第６レンズの間の接合面が負屈折力を有していて、前記第５レンズのアッベ数が前記第６レンズのアッベ数よりも小さいように構成する。
また、上記の目的を達成するために、本発明による結像光学系は、レンズ成分が、光軸付近で入射側の面と射出側の面のみが空気と接触し、その間に空間を持たないレンズ、即ち単レンズまたは接合レンズであると定義したとき、物体側から順に、第１レンズ、空間、第２レンズ、空間、第３レンズ、空間、第４レンズ、空間、第５レンズと第６レンズとの接合レンズ、空間、第７レンズの６つのレンズ成分、又は、物体側から順に、第１レンズ、空間、第２レンズ、空間、第３レンズと第４レンズとの接合レンズ、空間、第５レンズと第６レンズとの接合レンズ、空間、第７レンズの５つのレンズ成分からなるように構成する。
また、上記の目的を達成するために、本発明による結像光学系は、前記第３レンズが両凹負レンズであるように構成する。
また、上記の目的を達成するために、本発明による結像光学系は、前記第５レンズと前記第６レンズとの合成焦点距離が正であるように構成する。
また、上記の目的を達成するために、本発明による結像光学系は、該結像光学系の最大半画角が、以下の条件式（１０）を満たすように構成する。
８０°≦ω≦１０５°                                     （１０）
ただし、
ω ：結像光学系の最大半画角
である。
また、上記の目的を達成するために、本発明による結像光学系は、前記第４レンズと前記第５レンズとの間に明るさ絞りを配し、以下の条件式（１）を満たすように構成する。
０．３≦ｄ４Ｓ／Ｉｈ≦２．５                             （１）
ただし、  
ｄ４Ｓ：第４レンズの像側の面から明るさ絞りまでの軸上間隔
Ｉｈ ：最大像高
である。
また、上記の目的を達成するために、本発明による結像光学系は、以下の条件式（２）を満たすように構成する。  
−０．７≦ｆＮ／ｆＰ≦−０．０５                         （２）
ただし、
ｆＮ ：負屈折力のレンズ群の合成焦点距離
ｆＰ ：正屈折力のレンズ群の合成焦点距離
である。
また、上記の目的を達成するために、本発明による結像光学系は、前記第３レンズと前記第４レンズとが接合されているように構成する。
また、上記の目的を達成するために、本発明による結像光学系は、前記７枚のレンズのみで構成されている。
また、上記の目的を達成するために、本発明による結像光学系は、前記第１レンズは、物体側に凸面を向けた負メニスカスレンズであり、前記第２レンズは、物体側に凸面を向けた負メニスカスレンズであり、前記第３レンズは、物体側の面の近軸曲率半径絶対値よりも像側の面の近軸曲率半径絶対値が小さい負レンズであり、前記第４レンズは、両凸正レンズであり、前記第５レンズは、物体側の面の近軸曲率半径絶対値よりも像側の面の近軸曲率半径絶対値が小さい負レンズであり、前記第６レンズは、第５レンズに接合された両凸正レンズであり、前記第７レンズは、物体側の面が凸面の正レンズであり、前記第４レンズと前記第５レンズとの間に明るさ絞りを有するように構成する。
また、上記の目的を達成するために、本発明による結像光学系は、物体側から順に、負レンズである第１レンズ、負レンズである第２レンズ、負レンズである第３レンズ、正レンズである第４レンズ、負レンズである第５レンズ、正レンズである第６レンズ、正レンズである第７レンズを有し、前記第３レンズと前記第４レンズとが接合されているように構成する。
上記の目的を達成するために、本発明による撮像装置は、請求項１乃至２４のいずれか１項に記載の結像光学系と、前記結像光学系の像側に受光面が配置され、且つ、前記結像光学系により該受光面上に形成された光学像を電気信号に変換する電子撮像素子と、を備えて構成する。
【手続補正４】
【補正対象書類名】明細書
【補正対象項目名】００７０
【補正方法】変更
【補正の内容】
【００７０】
また、上記第１乃至４の発明に係る結像光学系は、物体側から順に、負レンズである第１レンズ、負レンズである第２レンズ、負レンズである第３レンズ、正レンズである第４レンズ、負レンズである第５レンズ、正レンズである第６レンズ、正レンズである第７レンズを有し、前記第３レンズと前記第４レンズとが接合すると、より好ましくなる。
【手続補正５】
【補正対象書類名】明細書
【補正対象項目名】００８５
【補正方法】変更
【補正の内容】
【００８５】
また、上記各条件式に係るデータは、
条件式（１） ： ｄ４Ｓ／Ｉｈ＝０．８８
条件式（２） ： ｆＮ／ｆＰ＝−０．１６
条件式（３） ： ｜ｒ３ｆ／ｆ｜＝−１１．２５
条件式（４） ： ｆ５６／ｆ＝９．３２
条件式（５） ： ｆ１／ｆ２＝０．８０
条件式（６） ： ｆ３／Ｉｈ＝−２．２６
条件式（７） ： ｆＮ／ｆ４＝−０．２９
条件式（８） ： ｆ／ｒ５ｆ＝−０．０４
条件式（９） ： ｆ７／Ｉｈ＝４．２９
条件式（１０） ： ω＝１０５．００°
である。
【手続補正６】
【補正対象書類名】明細書
【補正対象項目名】００９２
【補正方法】変更
【補正の内容】
【００９２】
また、上記各条件式に係るデータは、
条件式（１） ： ｄ４Ｓ／Ｉｈ＝０．８５
条件式（２） ： ｆＮ／ｆＰ＝−０．１８
条件式（３） ： ｜ｒ３ｆ／ｆ｜＝−９４．５０
条件式（４） ： ｆ５６／ｆ＝８．１５
条件式（５） ： ｆ１／ｆ２＝１．０５
条件式（６） ： ｆ３／Ｉｈ＝−３．０８
条件式（７） ： ｆＮ／ｆ４＝−０．２５
条件式（８） ： ｆ／ｒ５ｆ＝０．０３
条件式（９） ： ｆ７／Ｉｈ＝５．３８
条件式（１０） ： ω＝１０５．００°
である。
【手続補正７】
【補正対象書類名】明細書
【補正対象項目名】０１００
【補正方法】変更
【補正の内容】
【０１００】
また、上記各条件式に係るデータは、
条件式（１） ： ｄ４Ｓ／Ｉｈ＝１．４２
条件式（２） ： ｆＮ／ｆＰ＝０．０５
条件式（３） ： ｜ｒ３ｆ／ｆ｜＝−１１．４３
条件式（４） ： ｆ５６／ｆ＝９．６０
条件式（５） ： ｆ１／ｆ２＝１．３２
条件式（６） ： ｆ３／Ｉｈ＝−１．７５
条件式（７） ： ｆＮ／ｆ４＝−０．２３
条件式（８） ： ｆ／ｒ５ｆ＝０．１１
条件式（９） ： ｆ７／Ｉｈ＝４．０８
条件式（１０） ： ω＝１０５．００°
である。
【手続補正８】
【補正対象書類名】明細書
【補正対象項目名】０１０８
【補正方法】変更
【補正の内容】
【０１０８】
また、上記各条件式に係るデータは、
条件式（１） ： ｄ４Ｓ／Ｉｈ＝０．７５
条件式（２） ： ｆＮ／ｆＰ＝−０．２３
条件式（３） ： ｜ｒ３ｆ／ｆ｜＝−４２．７９
条件式（４） ： ｆ５６／ｆ＝５．９７
条件式（５） ： ｆ１／ｆ２＝０．６７
条件式（６） ： ｆ３／Ｉｈ＝−２．７１
条件式（７） ： ｆＮ／ｆ４＝−０．３２
条件式（８） ： ｆ／ｒ５ｆ＝−０．０４
条件式（９） ： ｆ７／Ｉｈ＝６．１９
条件式（１０） ： ω＝１０５．００°
である。